(57)【要約】エレベータかごのスライディングガイドは、１つまたは複数のレール上を摺動するように構成されたシューと、このシューに連結された第１のブラケットと、かごアセンブリとの連結のための第２のブラケットと、実質的にスライディングガイドの第１の端部から第２の端部にわたって配置されているとともに第１のブラケットと第２のブラケットとの間に連結された複数の細長いエラストマ部材と、を含む。シューと第１のブラケットとは、第２のブラケットによって実質的に三方が囲まれている。複数の細長いエラストマ部材は、それぞれ荷重の増大に従ってたわむように構成されている。
2010524806.tif 000002
【特許請求の範囲】
【請求項１】
１つまたは複数のレール上を摺動するように設けられたシューと、
前記シューに連結された第１のブラケットと、
かごアセンブリと連結可能に設けられた第２のブラケットと、
実質的にスライディングガイドの第１の端部から該スライディングガイドの第２の端部にわたって配置されるとともに、第１のブラケットと第２のブラケットとの間に連結された複数の細長いエラストマ部材と、を含み、
前記シューと第１のブラケットとは、第２のブラケットによって実質的に三方が囲まれており、
前記複数の細長いエラストマ部材は、それぞれ荷重の増大に従ってたわむように構成されていることを特徴とするエレベータかごのスライディングガイド。
【請求項２】
前記シューは、低摩擦材料を含むことを特徴とする請求項１記載のスライディングガイド。
【請求項３】
前記低摩擦材料は、ポリオキシメチレン、ポリテトラフルオロエチレン、ポリエチレンからなる群から選択されることを特徴とする請求項２記載のスライディングガイド。
【請求項４】
前記シューは、前記１つまたは複数のレールの１つ上を摺動するように設けられた該シューの１つまたは複数の面内に長手方向に設けられた複数の溝を有していることを特徴とする請求項１記載のスライディングガイド。
【請求項５】
前記シューは、上方向の移動において、前記１つまたは複数のレールの１つに対して段階的な摺動連結部を提供するように設けられたテーパ状の頂部を有していることを特徴とする請求項１記載のスライディングガイド。
【請求項６】
前記シューは、下方向の移動において、前記１つまたは複数のレールの１つに対して段階的な摺動連結部を提供するように設けられたテーパ状の底部を有していることを特徴とする請求項５記載のスライディングガイド。
【請求項７】
前記シューは、該シューの頂部に連結されるとともに、該シューが前記１つまたは複数のレールの１つに沿って上向きに移動するに従って、前記１つまたは複数のレールの１つの１つまたは複数の表面を拭き取るように設けられた第１のワイパを含むことを特徴とする請求項１記載のスライディングガイド。
【請求項８】
前記シューは、該シューの底部に連結されるとともに、該シューが前記１つまたは複数のレールの１つに沿って下向きに移動するに従って、前記１つまたは複数のレールの１つの１つまたは複数の表面を拭き取るように設けられた第２のワイパをさらに含むことを特徴とする請求項７記載のスライディングガイド。
【請求項９】
前記第１および第２のワイパは、それぞれフェルトを含み、該フェルトは、前記シューが前記１つまたは複数のレールの１つに沿って上下に移動するときに、前記１つまたは複数のレールの１つの１つまたは複数の面をはくように設けられていることを特徴とする請求項８記載のスライディングガイド。
【請求項１０】
前記第１および第２のワイパは、それぞれ複数の剛毛を含み、該複数の剛毛は、前記シューが前記１つまたは複数のレールの１つに沿って上下に移動するときに、前記１つまたは複数のレールの１つの１つまたは複数の面をはくように設けられていることを特徴とする請求項８記載のスライディングガイド。
【請求項１１】
前記複数の細長いエラストマ部材は、それぞれたわむように設けられており、このたわみは、曲げモードまたは圧縮モードの一方で始まるとともに、圧縮モードまたは曲げモードの他方に到達すると実質的に終了することを特徴とする請求項１記載のスライディングガイド。
【請求項１２】
前記複数の細長いエラストマ部材は、それぞれたわむように設けられており、このたわみは、曲げモードで始まるとともに圧縮モードに到達すると実質的に終了することを特徴とする請求項１１記載のスライディングガイド。
【請求項１３】
前記複数の細長いエラストマ部材の１つまたは複数が全体として管状であることを特徴とする請求項１記載のスライディングガイド。
【請求項１４】
全体として管状のエラストマ部材は、それぞれ厚さが変化する形状づけられた管壁を備える全体として丸みのある八角形の管状断面を有していることを特徴とする請求項１３記載のスライディングガイド。
【請求項１５】
前記の全体として管状のエラストマ部材の管状断面は、
第１のブラケットに連結された第１の壁と、
第２のブラケットに連結された第２の壁と、
全体として凸状の第３の壁と、
全体として凸状の第４の壁と、を有し、
第３の壁と第４の壁とは、それぞれ第１の壁と第２の壁の間の中央部に向かう方向に比べて、第１の壁と第２の壁に向かって薄くなっていることを特徴とする請求項１３記載のスライディングガイド。
【請求項１６】
全体として管状のエラストマ部材は、それぞれ全体として矩形の外壁と全体として円形の内壁とを備える管状断面を有していることを特徴とする請求項１３記載のスライディングガイド。
【請求項１７】
前記複数の細長いエラストマ部材の１つまたは複数は、交差した２つの脚部を含む全体としてトラス形状の断面を有していることを特徴とする請求項１記載のスライディングガイド。
【請求項１８】
前記複数のエラストマ部材は、第１のブラケットおよび第２のブラケットに設けられた複数の連結タブを該複数のエラストマ部材にそれぞれ設けられた複数のスロットに圧入することによって、それぞれ第１のブラケットと第２のブラケットとの間に連結されていることを特徴とする請求項１記載のスライディングガイド。
【請求項１９】
前記複数のエラストマ部材は、それぞれ複数の締結具によって第１のブラケットと第２のブラケットとの間に連結されていることを特徴とする請求項１記載のスライディングガイド。
【請求項２０】
前記複数の締結具は、それぞれねじとリベットとからなる群から選択されることを特徴とする請求項１９記載のスライディングガイド。
【請求項２１】
前記シュー、第１のブラケットおよび第２のブラケットは、それぞれ全体としてＵ字型の断面を有しており、
前記シューは第１のブラケットの内部に配置されており、第１のブラケットは第２のブラケットの内部でかつ該第２のブラケットから離間して配置されていることを特徴とする請求項１記載のスライディングガイド。
【請求項２２】
前記複数の細長いエラストマ部材は、３つの細長いエラストマ部材を含み、
前記３つの細長いエラストマ部材は、全体としてＵ字型の第１のブラケットおよび全体としてＵ字型の第２のブラケットのそれぞれ隣接する３つの脚部の間の空間にそれぞれ配置されていることを特徴とする請求項２１記載のスライディングガイド。
【請求項２３】
前記３つの細長いエラストマ部材の１つまたは複数は、全体として管状であることを特徴とする請求項２２記載のスライディングガイド。
【請求項２４】
前記全体として管状のエラストマ部材は、それぞれ厚さが変化する形状づけられた管壁を備える全体として丸みのある八角形の管状断面を有していることを特徴とする請求項２３記載のスライディングガイド。
【請求項２５】
前記の全体として管状のエラストマ部材の管状断面は、
第１のブラケットに連結された第１の壁と、
第２のブラケットに連結された第２の壁と、
全体として凸状の第３の壁と、
全体として凸状の第４の壁と、を有し、
第３の壁と第４の壁とは、それぞれ第１の壁と第２の壁の間の中央部に向かう方向に比べて、第１の壁と第２の壁に向かって薄くなっていることを特徴とする請求項２３記載のスライディングガイド。
【請求項２６】
１つまたは複数のレール上を摺動するように設けられたシューと、
前記シューに連結された第１のブラケットと、
かごアセンブリとの連結のための第２のブラケットと、
実質的にスライディングガイドの第１の端部から該スライディングガイドの第２の端部にわたって配置されるとともに、第１のブラケットと第２のブラケットとの間に連結された複数の管状のエラストマ部材と、を含み、前記複数の管状のエラストマ部材は、
第１のブラケットに連結された第１の壁と、
第２のブラケットに連結された第２の壁と、
全体として凸状の第３の壁と、
全体として凸状の第４の壁と、を備える管状断面をそれぞれ有し、
前記シューと第１のブラケットとは、第２のブラケットによって実質的に三方が囲まれており、
第３の壁と第４の壁とは、それぞれ第１の壁と第２の壁の間の中央部に向かう方向に比べて、第１の壁と第２の壁に向かって薄くなっていることを特徴とするエレベータかごのスライディングガイド。
【請求項２７】
前記シューは、低摩擦材料を含むことを特徴とする請求項２６記載のスライディングガイド。
【請求項２８】
前記低摩擦材料は、ポリオキシメチレン、ポリテトラフルオロエチレン、ポリエチレンからなる群から選択されることを特徴とする請求項２７記載のスライディングガイド。
【請求項２９】
前記シューは、前記１つまたは複数のレールの１つの上を摺動するように設けられた該シューの１つまたは複数の面内に長手方向に設けられた複数の溝を有していることを特徴とする請求項２６記載のスライディングガイド。
【請求項３０】
前記シューは、上方向の移動において、前記１つまたは複数のレールの１つに対して段階的な摺動連結部を提供するように設けられたテーパ状の頂部を有していることを特徴とする請求項２６記載のスライディングガイド。
【請求項３１】
前記シューは、下方向の移動において、前記１つまたは複数のレールの１つに対して段階的な摺動連結部を提供するように設けられたテーパ状の底部を有していることを特徴とする請求項３０記載のスライディングガイド。
【請求項３２】
前記シューは、該シューの頂部に連結されるとともに、該シューが前記１つまたは複数のレールの１つに沿って上向きに移動するに従って、前記１つまたは複数のレールの１つの１つまたは複数の表面を拭き取るように設けられた第１のワイパを含むことを特徴とする請求項２６記載のスライディングガイド。
【請求項３３】
前記シューは、該シューの底部に連結されるとともに、該シューが前記１つまたは複数のレールの１つに沿って下向きに移動するに従って、前記１つまたは複数のレールの１つの１つまたは複数の表面を拭き取るように設けられた第２のワイパをさらに含むことを特徴とする請求項３２記載のスライディングガイド。
【請求項３４】
前記第１および第２のワイパは、それぞれフェルトを含み、該フェルトは、前記シューが前記１つまたは複数のレールの１つに沿って上下に移動するときに、前記１つまたは複数のレールの１つの１つまたは複数の面をはくように設けられていることを特徴とする請求項３３記載のスライディングガイド。
【請求項３５】
前記第１および第２のワイパは、それぞれ複数の剛毛を含み、該複数の剛毛は、前記シューが前記１つまたは複数のレールの１つに沿って上下に移動するときに、前記１つまたは複数のレールの１つの１つまたは複数の面をはくように設けられていることを特徴とする請求項３３記載のスライディングガイド。
【請求項３６】
かごと、
かごに連結されたわくと、
１つまたは複数のレールと、
前記わくに連結されるとともに、前記１つまたは複数のレールの少なくとも１つに摺動可能に連結される１つまたは複数のスライディングガイドと、を含み、前記１つまたは複数のスライディングガイドは、それぞれ実質的に該スライディングガイドの第１の端部から該スライディングガイドの第２の端部にわたって配置されるとともに、前記わくに連結されたブラケットと前記１つまたは複数のレールの少なくとも１つに摺動可能に連結されたシューとの間に連結された複数のエラストマ部材を備えており、
前記複数のエラストマ部材は、荷重の増大に従ってたわむように構成されていることを特徴とするエレベータ装置。
【請求項３７】
前記シューは、低摩擦材料を含むことを特徴とする請求項３６記載のエレベータ装置。
【請求項３８】
前記低摩擦材料は、ポリオキシメチレン、ポリテトラフルオロエチレン、ポリエチレンからなる群から選択されることを特徴とする請求項３７記載のエレベータ装置。
【請求項３９】
前記シューは、前記１つまたは複数のレールの少なくとも１つの上を摺動するように設けられた該シューの１つまたは複数の面内に長手方向に設けられた複数の溝を有していることを特徴とする請求項３６記載のエレベータ装置。
【請求項４０】
前記シューは、上方向の移動において、前記１つまたは複数のレールの少なくとも１つに対して段階的な摺動連結部を提供するように設けられたテーパ状の頂部を有していることを特徴とする請求項３６記載のエレベータ装置。
【請求項４１】
前記シューは、下方向の移動において、前記１つまたは複数のレールの少なくとも１つに対して段階的な摺動連結部を提供するように設けられたテーパ状の底部を有していることを特徴とする請求項４０記載のエレベータ装置。
【請求項４２】
前記シューは、該シューの頂部に連結されるとともに、該シューが前記１つまたは複数のレールの少なくとも１つに沿って上向きに移動するに従って、前記１つまたは複数のレールの少なくとも１つの１つまたは複数の表面を拭き取るように設けられた第１のワイパを含むことを特徴とする請求項３６記載のエレベータ装置。
【請求項４３】
前記シューは、該シューの底部に連結されるとともに、該シューが前記１つまたは複数のレールの少なくとも１つに沿って下向きに移動するに従って、前記１つまたは複数のレールの少なくとも１つの１つまたは複数の表面を拭き取るように設けられた第２のワイパをさらに含むことを特徴とする請求項４２記載のエレベータ装置。
【請求項４４】
前記第１および第２のワイパは、それぞれフェルトを含み、該フェルトは、前記シューが前記１つまたは複数のレールの少なくとも１つに沿って上下に移動するときに、前記１つまたは複数のレールの少なくとも１つの１つまたは複数の面をはくように設けられていることを特徴とする請求項４３記載のエレベータ装置。
【請求項４５】
前記第１および第２のワイパは、それぞれ複数の剛毛を含み、該複数の剛毛は、前記シューが前記１つまたは複数のレールの少なくとも１つに沿って上下に移動するときに、前記１つまたは複数のレールの少なくとも１つの１つまたは複数の面をはくように設けられていることを特徴とする請求項４３記載のエレベータ装置。
【請求項４６】
前記複数の細長いエラストマ部材は、それぞれたわむように設けられており、このたわみは、曲げモードまたは圧縮モードの一方で始まるとともに、圧縮モードまたは曲げモードの他方に到達すると実質的に終了することを特徴とする請求項３６記載のエレベータ装置。
【請求項４７】
前記複数の細長いエラストマ部材は、それぞれたわむように設けられており、このたわみは、曲げモードで始まるとともに圧縮モードに到達すると実質的に終了することを特徴とする請求項４５記載のエレベータ装置。
【請求項４８】
前記複数の細長いエラストマ部材の１つまたは複数が全体として管状であることを特徴とする請求項３６記載のエレベータ装置。
【請求項４９】
全体として管状のエラストマ部材は、それぞれ厚さが変化する形状づけられた管壁を備える全体として丸みのある八角形の管状断面を有していることを特徴とする請求項４７記載のエレベータ装置。
【請求項５０】
前記の全体として管状のエラストマ部材の管状断面は、
第１のブラケットに連結された第１の壁と、
第２のブラケットに連結された第２の壁と、
全体として凸状の第３の壁と、
全体として凸状の第４の壁と、を有し、
第３の壁と第４の壁とは、それぞれ第１の壁と第２の壁の間の中央部に向かう方向に比べて、第１の壁と第２の壁に向かって薄くなっていることを特徴とする請求項４７記載のエレベータ装置。
【請求項５１】
全体として管状のエラストマ部材は、それぞれ全体として矩形の外壁と全体として円形の内壁とを備える管状断面を有していることを特徴とする請求項４７記載のエレベータ装置。
【請求項５２】
前記複数の細長いエラストマ部材の１つまたは複数は、交差した２つの脚部を含む全体としてトラス形状の断面を有していることを特徴とする請求項３６記載のエレベータ装置。
【発明の詳細な説明】
【技術分野】
【０００１】
本発明は、エレベータ装置で使用されるスライディングガイドに関し、特に、スライディングガイドの振動絶縁装置に関する。
【背景技術】
【０００２】
エレベータかごは、一般に、昇降路内において、スライディングガイドによってレールに沿って案内される。スライディングガイドを含むエレベータ装置では、かごとレールに接して摺動するガイドとの間にエラストマ材料を挿入することが一般的である。これは、かごの内部や乗客へ伝達される機械的な振動や騒音を低減するためである。
【０００３】
エラストマ振動絶縁装置を含む従来のスライディングガイドは、種々の難点を有している。かごと振動絶縁装置のレール側との間にエラストマ材料を使用しても、スライディングガイドの剛性が高すぎて振動や騒音を効果的に低減できない。かごの重量および関連する荷重は、乗客の数やかご内の位置に応じて変化する重心を有する。これにより、スライディングガイドからレールに伝達される大きな横方向の力が発生する。さらに、据付公差のために、レールの間の水平距離は昇降路の高さに沿って僅かに変動する。このようなレールの欠陥は、スライディングガイドに加わる力にも影響を及ぼす。この力は変動するので、振動や騒音を有効に低減する剛性の低い振動絶縁装置では対処できない。この状況では、比較的剛性の高い据付設計が必要となり、比較的低い周波数の範囲における振動や騒音をあまり低減することができない。残念ながら、比較的低い周波数の範囲には、かご内で不快に感じる大きな振動や騒音のエネルギーが含まれる。
【発明の概要】
【発明が解決しようとする課題】
【０００４】
従来のスライディングガイドでは、エラストマ材料は、表面の大部分にわたってスライディングガイドまたはかごに取り付けられた支持ブラケットによって拘束されている。エラストマの表面積の小さい部分のみが空気にさらされており、この部分においてエラストマがガイドに加わる力の作用によって自由に「膨らむ」。よく使用されるエラストマは非圧縮性なので、ガイドが支持ブラケットに対して移動する唯一の方法は、エラストマの体積全体が露出した端部に向かって「流れて」、これにより「膨らむ」ことによってである。エラストマが自由に膨らむことができる面積が小さいことにより、この装置の剛性は、振動や騒音の有意な低減のために必要な剛性よりもかなり高くなることが多い。拘束度が高いエラストマの代わりに、従来のガイドには機械ばねのような弾性要素を使用するものもある。いずれの場合でも、これらの材料は、動的な機械的絶縁や減衰をあまりまたは全く提供せず、周波数の範囲によっては、かご、レール、スライディングガイドおよびエレベータ装置の構造体や材料の軽く減衰された（よって振幅が大きい）機械的共振の相互作用により振動や騒音の低減が不充分となる。
【０００５】
上記に照らして、本発明は、上述したエレベータ装置の１つまたは複数の問題を解消することを目的とする。
【課題を解決するための手段】
【０００６】
本発明は、１つまたは複数のレール上を摺動するように設けられたシューと、シューに連結された第１のブラケットと、かごアセンブリとの連結のための第２のブラケットと、実質的にスライディングガイドの第１の端部から第２の端部にわたって配置されるとともに第１のブラケットと第２のブラケットとの間に連結された複数の細長いエラストマ部材と、を備えるエレベータかごのスライディングガイドを含む。シューと第１のブラケットとは、第２のブラケットによって実質的に３方が囲まれている。複数の細長いエラストマ部材は、それぞれ荷重の増大に従ってたわむように構成されている。
【０００７】
本発明の実施例は、さらに、かごと、かごに連結されたわくと、１つまたは複数のレールと、わくに連結されるとともに１つまたは複数のレールの少なくとも１つに摺動可能に連結された１つまたは複数のスライディングガイドと、を備えるエレベータ装置を含む。１つまたは複数のスライディングガイドは、それぞれ実質的にスライディングガイドの第１の端部からスライディングガイドの第２の端部にわたって配置されるとともに、わくに連結されたブラケットと１つまたは複数のレールの少なくとも１つに摺動可能に連結されたシューとの間に連結される複数のエラストマ部材を含む。各々のエラストマ部材は、荷重の増大に従ってたわむように構成されている。
【０００８】
上述の概略的な説明および以下の詳細な説明は、単に例示的でかつ説明的なものであり、請求項に記載した発明を限定するものではない。
【図面の簡単な説明】
【０００９】
【図１】本発明のスライディングガイドを含むエレベータ装置の側面図である。
【図２】図１のスライディングガイドの１つを示す斜視図である。
【図３】明瞭化のためにワイパを取り除いた図２のスライディングガイドの平面図である。
【図４Ａ】図２，図３のスライディングガイドに加わる荷重の増加に従ってたわむ１つのエラストマ部材を示す断面図である。
【図４Ｂ】図２，図３のスライディングガイドに加わる荷重の増加に従ってたわむ１つのエラストマ部材を示す断面図である。
【図４Ｃ】図２，図３のスライディングガイドに加わる荷重の増加に従ってたわむ１つのエラストマ部材を示す断面図である。
【図５】図４Ａ〜図４Ｃのエラストマ部材の力対たわみのグラフである。
【図６Ａ】本発明に係るスライディングガイドの他の実施例の概略平面図である。
【図６Ｂ】本発明に係るスライディングガイドの他の実施例の概略平面図である。
【発明を実施するための形態】
【００１０】
図面において対応部および相当部には同一番号を付している。
【００１１】
図１は、かご１２、わく１４、スライディングガイド１６、レール１８およびベルトやケーブルなどの引張り部材２１を含むエレベータ装置１０の側面図である。図１では、わく１４がかご１２に取り付けられている。４つのスライディングガイド１６が、わく１４の角部でわく１４そしてその結果かご１２に連結されているとともに、レール１８に移動可能に接続されている。スライディングガイド１６の数と位置、およびスライディングガイド１６とかご１２との連結部は、本発明の種々の実施例で異なりうる。例えば、本発明の別の実施例では、エレベータ装置は、エレベータかご１２の頂部とレール１８との間に直接配置された２つのスライディングガイド１６を含みうる。図１の引張り部材２１は、一般に、昇降路（図示省略）内でスライディングガイド１６を介してかご１２およびわく１４をレール１８に沿って上下に駆動する巻上機などの駆動装置（図示省略）に接続されている。スライディングガイド１６は、レール１８との間に低摩擦の連結部を提供するように構成されており、装置１０を通ってわく１４そしてかご１２に伝達される振動および固体伝搬音を減衰するようにも動作する。
【００１２】
図２，図３は、図１のスライディングガイド１６の１つを示す斜視図および平面図であり、シュー２０、第１の連結部材２２（以下では「第１のブラケット２２」と呼ぶ）、エラストマ部材２４、第２の連結部材２６（以下では「第２のブラケット２６」と呼ぶ）およびバークランプ２８を含む。「ジブ」とも呼ばれるシュー２０は、頂部に位置するテーパ状の第１の端部２０ａ、底部に位置するテーパ状の第２の端部２０ｂ、溝２０ｃ、頂部に位置する第１のワイパ２０ｄおよび底部に位置する第２のワイパ２０ｅを含む。図２，図３に示すように、シュー２０と第１および第２のブラケット２２，２６は、それぞれ全体的にＵ字型の断面を有する。シュー２０は、第１のブラケット２２に取り付けられているとともに、その内部に配置されている。第１のブラケット２２は、第２のブラケット２６から離間されているとともに実質的にその内部に配置されている。エラストマ部材２４は、第１のブラケットと第２のブラケットとの間で、例えば、実質的にスライディングガイド１６の頂部の第１の端部からスライディングガイド１６の底部の第２の端部にわたってバークランプ２８により縦方向に連結されている。エラストマ部材２４と第１および第２のブラケット２２，２６との間の連結部は、本発明の種々の実施例で異なりうる。例えば、エラストマ部材２４は、広い動作温度範囲を有する工業用のエポキシ樹脂によって第１および第２のブラケット２２，２６に取り付けることができる。また、エラストマ部材２４は、ねじやリベットなどのねじ付きまたはねじなしの締結具によって第１および第２のブラケット２２，２６に取り付けることもできる。他の実施例では、エラストマ部材２４と第１および第２のブラケット２２，２６との間の連結部は、エラストマ部材２４の外壁に設けられたスロットを第１および第２のブラケット２２，１６と一体に設けられた連結タブ上に圧入することによって得られる。
【００１３】
図２，図３では、シュー２０は、３つの内側ベアリング面を備える全体としてＵ字型の断面を有し、ベアリング面は、（図１に示す）１つまたは複数のレール１８との間に摺動する連結部を提供するように設けられている。シュー２０の内側面は、図２，図３に示すように、テーパ状の第１の端部２０ａ、テーパ状の第２の端部２０ｂおよび１つまたは複数の溝２０ｃを備える。テーパ状の第１および第２の端部２０ａ，２０ｂは、シュー２０とレール１８との間に段階的な連結部を提供するように設けられており、この段階的な連結部は、衝撃スペクトルの周波数範囲を低減し、レールセグメントの接続箇所における不連続性やブレーキ痕などによって生じるレールの欠陥の影響を軽減するように作用する。シュー２０のベアリング面の溝２０ｃは、エレベータの据付時や稼働中の摩耗により発生した金属片やデブリのためのクリアランスを提供し、これらを捕捉することにより、かご１２内の振動および騒音を低減するように作用する。全体としてＵ字型のシュー２０の内側角部に位置する２つの溝２０ｃは、図１に示すレール１８の端部のばりのためのクリアランスも提供しうる。シュー２０に設けられた溝２０ｃの数、寸法、形状および配置は、本発明の種々の実施例で異なりうる。シュー２０は、さらに、図２に示す第１および第２のワイパ２０ｄ，２０ｅを含み、これらのワイパは、シュー２０のベアリング面がレール１８と接触する前にレール１８の面を拭き取ることでシュー２０のベアリング面と図１に示すレール１８との間に捕捉される材料の量を減少させるように設けられる。図２の第１および第２のワイパ２０ｄ，２０ｅは、明瞭化のために図３からは省かれている。
【００１４】
シュー２０は、射出成形などの周知の技術で製造可能である。シュー２０は、（ポリトリオキサン、アセタール樹脂、ポリホルムアルデヒドとも呼ばれる）ポリオキシメチレン、ポリテトラフルオロエチレン、ポリエチレンを含む低摩擦材料で形成することができる。また、シュー２０の材料は、油やグリースに耐性を有しうる。シュー２０の第１および第２のワイパ２０ｄ，２０ｅは、例えば、フェルトで形成するか剛毛を含むことができ、いずれもスライディングガイド１６がレール１８に沿って上下に移動するときにレール１８の表面を拭き取るように作用する。
【００１５】
図２，３に示すスライディングガイド１６のエラストマ部材２４は、かご１２と（図１に示す）レール１８との間の振動絶縁および減衰を提供するように設けられている。例えば、エラストマ部材２４を含むスライディングガイド１６は、かご１２がレール１８に沿って垂直移動するときにレール１８からかご１２に伝達されるかご１２の横方向および前後方向の振動を絶縁および吸収するように作用する。第１および第２のブラケット２２，２６の間に連結されたエラストマ部材２４は、全体として管状で、かつ厚みが変化する形状づけられた管壁を備える実質的に八角形の管断面を有する。図２，図３に示すように、エラストマ部材２４の表面積の大部分は第１および第２のブラケット２２，２６の間の連結部によって拘束されていない。各々のエラストマ部材２４は、膨らんだり曲がったりすることで実質的に自由にたわむので、振動がかご１２に到達しないように振動を絶縁および減衰するように作用可能である。
【００１６】
図４Ａ〜図４Ｃは、図２，図３のスライディングガイド１６に加わる荷重の増加に対するエラストマ部材２４の１つのたわみを示す。エラストマ部材２４のたわみは、レール１８を介して力や振動がスライディングガイド２４に伝達されるに従って発生する曲げとこれに続く圧縮との組合せによって生じうる。例えば、図４Ａでは、エラストマ部材２４は、荷重が加わっていない静止位置にある。図４Ｂでは、荷重がシュー２０そして第１のブラケット２２をエラストマ部材２４に向かって押し始めている。エラストマ部材２４は、側壁すなわち第１および第２のブラケット２２，２６との連結部によって拘束されていない壁が端部に向かって薄く、かつ中央で厚い形状となっている。この形状では、荷重を受けたエラストマ部材２４は、図４Ｂで示されているように最初に角部で曲がる。図４Ｃでエラストマ部材２４に加わる荷重が増加すると、エラストマ部材２４の側壁の比較的厚い中央部が圧縮モードに達し、曲げモードが終了する。
【００１７】
図５は、図４Ａ〜図４Ｃに示すエラストマ部材２４の力対たわみを示すグラフである。エラストマ部材２４の材料は、実質的に非圧縮性である。荷重の増加に従って生じるエラストマ部材２４のたわみは、曲げから始まるが、最終的にはエラストマ部材２４の内側面が互いに接触する点において圧縮モードに到達し、それ以上のたわみを実質的に抑制すなわち緩衝する。エラストマ部材２４の曲げモードと圧縮モードとの組合せは、非線形の力対たわみ特性を生じさせる。エラストマ部材２４の力対たわみ曲線の傾きは、エラストマ部材２４の剛性に等しい。よって、非線形の力対たわみ特性により、エラストマ部材２４に加わる力に従って剛性が増加する。エラストマ部材２４の剛性、従ってガイド１６の剛性は、ある時点で加わる力に対してかご１２を拘束するために、必要な値までしか増加しないので、振動および固体伝搬音の絶縁および減衰の量および絶縁および減衰が行われる時間がかなり増加する。加えて、エラストマ部材２４の形状づけられた管状の断面形状は、エラストマ部材２４に加わる力が所定の大きさ以上になって圧縮モードに到達したときに、エラストマ部材２４が実質的にそれ以上たわまないようにすることで、大きい力を受けたときにかご１２を拘束するように作用する自己緩衝特性を提供する。
【００１８】
エラストマ部材２４の数および形状は、本発明の種々の実施例で異なりうる。例えば、３つ以上のエラストマ部材がスライディングガイド１６の第１および第２のブラケット２２，２６の間で連結されうる。図６Ａは、２つの交差した脚部を含む全体としてトラス形状の断面をそれぞれ有する複数のエラストマ部材２４を含むスライディングガイド１６の別の実施例を示す概略平面図である。図６Ｂは、全体として矩形の外壁と全体として円形の内壁とを備える管状の断面をそれぞれ有する複数のエラストマ部材２４を含むスライディングガイド１６のまた別の実施例の概略平面図である。
【００１９】
本発明の実施例は、従来のスライディングガイドやスライディングガイドを含むエレベータ装置に対して種々の利点を提供する。本発明のスライディングガイドのエラストマ部材は、非線形の力対たわみ特性を生じさせる曲げモードおよび圧縮モードの組合せを提供するように構成および配置されている。エラストマ部材の非線形の力対たわみ特性は、次にはエレベータの稼働中に生じる荷重の変動に対して自己調整式の動的剛性を提供し、これにより、振動絶縁および減衰の量とともに絶縁および減衰が生じる時間がかなり増加する。エラストマ部材の断面形状は、大きい力を受けたときにかごを拘束するように作用する自己緩衝特性を提供する。エラストマ部材の形状および剛性は、特定の用途において、従来のエレベータシステムではばね要素および減衰装置を有する車輪付のローリングガイドを要していた場合と同程度に振動および騒音を低減するよう設けることができる。本発明の比較的単純なスライディングガイドにより、従来のローリングガイドおよびスライディングガイドを含むエレベータ装置のコストおよび複雑さをかなり低減することができる。本発明のスライディングガイドで使用されるシューのテーパ状の頂部および底部は、レールの凸凹によってかごに伝達される振動および衝撃を減少させる。シューのベアリング面に設けられた溝は、デブリや金属片のためのクリアランスを提供し、振動、騒音、およびシューの交換頻度を低減する。そのうえ、シューの内側角部における溝は、レール端部に沿ったばりや傷のためのクリアランスを提供する。
【００２０】
上述の説明は単に本発明の説明的なものであり、添付の請求項を特定の実施例もしくは実施例の群に限定するものではない。よって、本発明を特定の例示的実施例を参照して詳細に説明したが、以下の請求項に記載の比較的広い意図する本発明の範囲から逸脱することなく、本発明に種々の改良および変更を行うことができる。
【００２１】
よって、明細書および図面は、説明的なものと考えるべきであり、添付の請求の範囲を制限することを意図していない。本発明の上述の開示に照らして、当業者であれば、本発明の範囲内に他の実施例や改良も含まれうることが分かるであろう。従って、当業者が本明細書から到達可能な本発明の範囲内の全ての改良は、本発明の実施例に含まれるものである。本発明の範囲は、以下の請求項によって定められる。
【図１】
2010524806.tif 000003
【図２】
2010524806.tif 000004
【図３】
2010524806.tif 000005
【図４Ａ】
2010524806.tif 000006
【図４Ｂ】
2010524806.tif 000007
【図４Ｃ】
2010524806.tif 000008
【図５】
2010524806.tif 000009
【図６Ａ】
2010524806.tif 000010
【図６Ｂ】
2010524806.tif 000011
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
１つまたは複数のレール上を摺動するように設けられたシューと、
前記シューに連結された第１のブラケットと、
かごアセンブリと連結可能に設けられた第２のブラケットと、
実質的にスライディングガイドの第１の端部から該スライディングガイドの第２の端部にわたって配置されるとともに、第１のブラケットと第２のブラケットとの間に連結された複数の細長いエラストマ部材と、を含み、
前記シューと第１のブラケットとは、第２のブラケットによって実質的に三方が囲まれており、
前記複数の細長いエラストマ部材は、それぞれ荷重の増大に従ってたわむように構成されていることを特徴とするエレベータかごのスライディングガイド。
【請求項２】
前記シューは、低摩擦材料を含むことを特徴とする請求項１記載のスライディングガイド。
【請求項３】
前記低摩擦材料は、ポリオキシメチレン、ポリテトラフルオロエチレン、ポリエチレンからなる群から選択されることを特徴とする請求項２記載のスライディングガイド。
【請求項４】
前記シューは、前記１つまたは複数のレールの１つ上を摺動するように設けられた該シューの１つまたは複数の面内に長手方向に設けられた複数の溝を有していることを特徴とする請求項１記載のスライディングガイド。
【請求項５】
前記シューは、上方向の移動において、前記１つまたは複数のレールの１つに対して段階的な摺動連結部を提供するように設けられたテーパ状の頂部を有していることを特徴とする請求項１記載のスライディングガイド。
【請求項６】
前記シューは、下方向の移動において、前記１つまたは複数のレールの１つに対して段階的な摺動連結部を提供するように設けられたテーパ状の底部を有していることを特徴とする請求項５記載のスライディングガイド。
【請求項７】
前記シューは、該シューの頂部に連結されるとともに、該シューが前記１つまたは複数のレールの１つに沿って上向きに移動するに従って、前記１つまたは複数のレールの１つの１つまたは複数の表面を拭き取るように設けられた第１のワイパを含むことを特徴とする請求項１記載のスライディングガイド。
【請求項８】
前記シューは、該シューの底部に連結されるとともに、該シューが前記１つまたは複数のレールの１つに沿って下向きに移動するに従って、前記１つまたは複数のレールの１つの１つまたは複数の表面を拭き取るように設けられた第２のワイパをさらに含むことを特徴とする請求項７記載のスライディングガイド。
【請求項９】
前記第１および第２のワイパは、それぞれフェルトを含み、該フェルトは、前記シューが前記１つまたは複数のレールの１つに沿って上下に移動するときに、前記１つまたは複数のレールの１つの１つまたは複数の面をはくように設けられていることを特徴とする請求項８記載のスライディングガイド。
【請求項１０】
前記第１および第２のワイパは、それぞれ複数の剛毛を含み、該複数の剛毛は、前記シューが前記１つまたは複数のレールの１つに沿って上下に移動するときに、前記１つまたは複数のレールの１つの１つまたは複数の面をはくように設けられていることを特徴とする請求項８記載のスライディングガイド。
【請求項１１】
前記複数の細長いエラストマ部材は、それぞれたわむように設けられており、このたわみは、曲げモードまたは圧縮モードの一方で始まるとともに、圧縮モードまたは曲げモードの他方に到達すると実質的に終了することを特徴とする請求項１記載のスライディングガイド。
【請求項１２】
前記複数の細長いエラストマ部材は、それぞれたわむように設けられており、このたわみは、曲げモードで始まるとともに圧縮モードに到達すると実質的に終了することを特徴とする請求項１１記載のスライディングガイド。
【請求項１３】
前記複数の細長いエラストマ部材の１つまたは複数が全体として管状であることを特徴とする請求項１記載のスライディングガイド。
【請求項１４】
全体として管状のエラストマ部材は、それぞれ厚さが変化する形状づけられた管壁を備える全体として丸みのある八角形の管状断面を有していることを特徴とする請求項１３記載のスライディングガイド。
【請求項１５】
前記の全体として管状のエラストマ部材の管状断面は、
第１のブラケットに連結された第１の壁と、
第２のブラケットに連結された第２の壁と、
全体として凸状の第３の壁と、
全体として凸状の第４の壁と、を有し、
第３の壁と第４の壁とは、それぞれ第１の壁と第２の壁の間の中央部に向かう方向に比べて、第１の壁と第２の壁に向かって薄くなっていることを特徴とする請求項１３記載のスライディングガイド。
【請求項１６】
全体として管状のエラストマ部材は、それぞれ全体として矩形の外壁と全体として円形の内壁とを備える管状断面を有していることを特徴とする請求項１３記載のスライディングガイド。
【請求項１７】
前記複数の細長いエラストマ部材の１つまたは複数は、交差した２つの脚部を含む全体としてトラス形状の断面を有していることを特徴とする請求項１記載のスライディングガイド。
【請求項１８】
前記複数のエラストマ部材は、第１のブラケットおよび第２のブラケットに設けられた複数の連結タブを該複数のエラストマ部材にそれぞれ設けられた複数のスロットに圧入することによって、それぞれ第１のブラケットと第２のブラケットとの間に連結されていることを特徴とする請求項１記載のスライディングガイド。
【請求項１９】
前記複数のエラストマ部材は、それぞれ複数の締結具によって第１のブラケットと第２のブラケットとの間に連結されていることを特徴とする請求項１記載のスライディングガイド。
【請求項２０】
前記複数の締結具は、それぞれねじとリベットとからなる群から選択されることを特徴とする請求項１９記載のスライディングガイド。
【請求項２１】
前記シュー、第１のブラケットおよび第２のブラケットは、それぞれ全体としてＵ字型の断面を有しており、
前記シューは第１のブラケットの内部に配置されており、第１のブラケットは第２のブラケットの内部でかつ該第２のブラケットから離間して配置されていることを特徴とする請求項１記載のスライディングガイド。
【請求項２２】
前記複数の細長いエラストマ部材は、３つの細長いエラストマ部材を含み、
前記３つの細長いエラストマ部材は、全体としてＵ字型の第１のブラケットおよび全体としてＵ字型の第２のブラケットのそれぞれ隣接する３つの脚部の間の空間にそれぞれ配置されていることを特徴とする請求項２１記載のスライディングガイド。
【請求項２３】
前記３つの細長いエラストマ部材の１つまたは複数は、全体として管状であることを特徴とする請求項２２記載のスライディングガイド。
【請求項２４】
前記全体として管状のエラストマ部材は、それぞれ厚さが変化する形状づけられた管壁を備える全体として丸みのある八角形の管状断面を有していることを特徴とする請求項２３記載のスライディングガイド。
【請求項２５】
前記の全体として管状のエラストマ部材の管状断面は、
第１のブラケットに連結された第１の壁と、
第２のブラケットに連結された第２の壁と、
全体として凸状の第３の壁と、
全体として凸状の第４の壁と、を有し、
第３の壁と第４の壁とは、それぞれ第１の壁と第２の壁の間の中央部に向かう方向に比べて、第１の壁と第２の壁に向かって薄くなっていることを特徴とする請求項２３記載のスライディングガイド。
【請求項２６】
１つまたは複数のレール上を摺動するように設けられたシューと、
前記シューに連結された第１のブラケットと、
かごアセンブリとの連結のための第２のブラケットと、
実質的にスライディングガイドの第１の端部から該スライディングガイドの第２の端部にわたって配置されるとともに、第１のブラケットと第２のブラケットとの間に連結された複数の管状のエラストマ部材と、を含み、前記複数の管状のエラストマ部材は、
第１のブラケットに連結された第１の壁と、
第２のブラケットに連結された第２の壁と、
全体として凸状の第３の壁と、
全体として凸状の第４の壁と、を備える管状断面をそれぞれ有し、
前記シューと第１のブラケットとは、第２のブラケットによって実質的に三方が囲まれており、
第３の壁と第４の壁とは、それぞれ第１の壁と第２の壁の間の中央部に向かう方向に比べて、第１の壁と第２の壁に向かって薄くなっていることを特徴とするエレベータかごのスライディングガイド。
【請求項２７】
前記シューは、低摩擦材料を含むことを特徴とする請求項２６記載のスライディングガイド。
【請求項２８】
前記低摩擦材料は、ポリオキシメチレン、ポリテトラフルオロエチレン、ポリエチレンからなる群から選択されることを特徴とする請求項２７記載のスライディングガイド。
【請求項２９】
前記シューは、前記１つまたは複数のレールの１つの上を摺動するように設けられた該シューの１つまたは複数の面内に長手方向に設けられた複数の溝を有していることを特徴とする請求項２６記載のスライディングガイド。
【請求項３０】
前記シューは、上方向の移動において、前記１つまたは複数のレールの１つに対して段階的な摺動連結部を提供するように設けられたテーパ状の頂部を有していることを特徴とする請求項２６記載のスライディングガイド。
【請求項３１】
前記シューは、下方向の移動において、前記１つまたは複数のレールの１つに対して段階的な摺動連結部を提供するように設けられたテーパ状の底部を有していることを特徴とする請求項３０記載のスライディングガイド。
【請求項３２】
前記シューは、該シューの頂部に連結されるとともに、該シューが前記１つまたは複数のレールの１つに沿って上向きに移動するに従って、前記１つまたは複数のレールの１つの１つまたは複数の表面を拭き取るように設けられた第１のワイパを含むことを特徴とする請求項２６記載のスライディングガイド。
【請求項３３】
前記シューは、該シューの底部に連結されるとともに、該シューが前記１つまたは複数のレールの１つに沿って下向きに移動するに従って、前記１つまたは複数のレールの１つの１つまたは複数の表面を拭き取るように設けられた第２のワイパをさらに含むことを特徴とする請求項３２記載のスライディングガイド。
【請求項３４】
前記第１および第２のワイパは、それぞれフェルトを含み、該フェルトは、前記シューが前記１つまたは複数のレールの１つに沿って上下に移動するときに、前記１つまたは複数のレールの１つの１つまたは複数の面をはくように設けられていることを特徴とする請求項３３記載のスライディングガイド。
【請求項３５】
前記第１および第２のワイパは、それぞれ複数の剛毛を含み、該複数の剛毛は、前記シューが前記１つまたは複数のレールの１つに沿って上下に移動するときに、前記１つまたは複数のレールの１つの１つまたは複数の面をはくように設けられていることを特徴とする請求項３３記載のスライディングガイド。
【請求項３６】
かごと、
かごに連結されたわくと、
１つまたは複数のレールと、
前記わくに連結されるとともに、前記１つまたは複数のレールの少なくとも１つに摺動可能に連結される１つまたは複数のスライディングガイドと、を含み、前記１つまたは複数のスライディングガイドは、それぞれ実質的に該スライディングガイドの第１の端部から該スライディングガイドの第２の端部にわたって配置されるとともに、前記わくに連結されたブラケットと前記１つまたは複数のレールの少なくとも１つに摺動可能に連結されたシューとの間に連結された複数のエラストマ部材を備えており、
前記複数のエラストマ部材は、荷重の増大に従ってたわむように構成されていることを特徴とするエレベータ装置。
【請求項３７】
前記シューは、低摩擦材料を含むことを特徴とする請求項３６記載のエレベータ装置。
【請求項３８】
前記低摩擦材料は、ポリオキシメチレン、ポリテトラフルオロエチレン、ポリエチレンからなる群から選択されることを特徴とする請求項３７記載のエレベータ装置。
【請求項３９】
前記シューは、前記１つまたは複数のレールの少なくとも１つの上を摺動するように設けられた該シューの１つまたは複数の面内に長手方向に設けられた複数の溝を有していることを特徴とする請求項３６記載のエレベータ装置。
【請求項４０】
前記シューは、上方向の移動において、前記１つまたは複数のレールの少なくとも１つに対して段階的な摺動連結部を提供するように設けられたテーパ状の頂部を有していることを特徴とする請求項３６記載のエレベータ装置。
【請求項４１】
前記シューは、下方向の移動において、前記１つまたは複数のレールの少なくとも１つに対して段階的な摺動連結部を提供するように設けられたテーパ状の底部を有していることを特徴とする請求項４０記載のエレベータ装置。
【請求項４２】
前記シューは、該シューの頂部に連結されるとともに、該シューが前記１つまたは複数のレールの少なくとも１つに沿って上向きに移動するに従って、前記１つまたは複数のレールの少なくとも１つの１つまたは複数の表面を拭き取るように設けられた第１のワイパを含むことを特徴とする請求項３６記載のエレベータ装置。
【請求項４３】
前記シューは、該シューの底部に連結されるとともに、該シューが前記１つまたは複数のレールの少なくとも１つに沿って下向きに移動するに従って、前記１つまたは複数のレールの少なくとも１つの１つまたは複数の表面を拭き取るように設けられた第２のワイパをさらに含むことを特徴とする請求項４２記載のエレベータ装置。
【請求項４４】
前記第１および第２のワイパは、それぞれフェルトを含み、該フェルトは、前記シューが前記１つまたは複数のレールの少なくとも１つに沿って上下に移動するときに、前記１つまたは複数のレールの少なくとも１つの１つまたは複数の面をはくように設けられていることを特徴とする請求項４３記載のエレベータ装置。
【請求項４５】
前記第１および第２のワイパは、それぞれ複数の剛毛を含み、該複数の剛毛は、前記シューが前記１つまたは複数のレールの少なくとも１つに沿って上下に移動するときに、前記１つまたは複数のレールの少なくとも１つの１つまたは複数の面をはくように設けられていることを特徴とする請求項４３記載のエレベータ装置。
【請求項４６】
前記複数の細長いエラストマ部材は、それぞれたわむように設けられており、このたわみは、曲げモードまたは圧縮モードの一方で始まるとともに、圧縮モードまたは曲げモードの他方に到達すると実質的に終了することを特徴とする請求項３６記載のエレベータ装置。
【請求項４７】
前記複数の細長いエラストマ部材は、それぞれたわむように設けられており、このたわみは、曲げモードで始まるとともに圧縮モードに到達すると実質的に終了することを特徴とする請求項４６記載のエレベータ装置。
【請求項４８】
前記複数の細長いエラストマ部材の１つまたは複数が全体として管状であることを特徴とする請求項３６記載のエレベータ装置。
【請求項４９】
全体として管状のエラストマ部材は、それぞれ厚さが変化する形状づけられた管壁を備える全体として丸みのある八角形の管状断面を有していることを特徴とする請求項４８記載のエレベータ装置。
【請求項５０】
前記の全体として管状のエラストマ部材の管状断面は、
第１のブラケットに連結された第１の壁と、
第２のブラケットに連結された第２の壁と、
全体として凸状の第３の壁と、
全体として凸状の第４の壁と、を有し、
第３の壁と第４の壁とは、それぞれ第１の壁と第２の壁の間の中央部に向かう方向に比べて、第１の壁と第２の壁に向かって薄くなっていることを特徴とする請求項４８記載のエレベータ装置。
【請求項５１】
全体として管状のエラストマ部材は、それぞれ全体として矩形の外壁と全体として円形の内壁とを備える管状断面を有していることを特徴とする請求項４８記載のエレベータ装置。
【請求項５２】
前記複数の細長いエラストマ部材の１つまたは複数は、交差した２つの脚部を含む全体としてトラス形状の断面を有していることを特徴とする請求項３６記載のエレベータ装置。
【国際調査報告】
2010524806.tif 000012
2010524806.tif 000013
2010524806.tif 000014